(57)【要約】【課題】本発明は、運搬者にとって運搬が容易なヒートポンプシステムの室外ユニットを提供することを目的とする。【解決手段】プロペラファン４５が置かれる送風機室３３と、送風機室３３に隣接し、圧縮機４１が置かれる機械室３１とが配置されるヒートポンプシステムの室外ユニット１００を提供する。室外ユニット１００は、送風機室３３の前側に位置し、空気吹出口４９を覆う吹出グリル２０を備え、吹出グリル２０には、正面視において、送風機室３３側の端の上部に運搬者の指が入るグリル取っ手部２３が形成されている。【選択図】図１
2017009266.tif 000002
【特許請求の範囲】
【請求項１】
プロペラファン（４５）が置かれる送風機室（３３）と、前記送風機室に隣接し、圧縮機（４１）が置かれる機械室（３１）とが配置されるヒートポンプシステムの室外ユニット（１００）であって、
前記送風機室の前側に位置し、空気吹出口（４９）を覆う吹出グリル（２０）を備え、
前記吹出グリルには、正面視において、前記送風機室側の端の上部に運搬者の指が入るグリル取っ手部（２３）が形成されている、ヒートポンプシステムの室外ユニット。
【請求項２】
前記吹出グリルには、運搬者の指の入り込みを防ぐ複数の桟（２１、２２、５０、５１、５３）が互いに離隔して設けられており、
前記グリル取っ手部の内部空間（Ｓ）の所定方向の長さは、前記グリル取っ手部の周囲において隣接する前記桟の前記所定方向の間隔よりも大きい、請求項１に記載のヒートポンプシステムの室外ユニット。
【請求項３】
前記複数の桟（２１）は、左右方向に延び、かつ上下方向に離隔しており、
前記グリル取っ手部の内部空間の上下方向の高さ（Ｌ１）は、前記グリル取っ手部の周囲において隣接する前記桟の高さ方向の隙間（Ｌ４）よりも大きい、請求項２に記載のヒートポンプシステムの室外ユニット。
【請求項４】
前記複数の桟（２２）は、上下方向に延びつつ左右方向に離隔しており、
前記グリル取っ手部の内部空間の左右方向の幅（Ｌ２）は、前記グリル取っ手部の周囲において隣接する前記桟の左右方向の隙間（Ｌ５）よりも大きい、請求項２に記載のヒートポンプシステムの室外ユニット。
【請求項５】
前記グリル取っ手部の内部空間の奥行き（Ｌ３）は、平均２０ｍｍ以上である、請求項１〜４のいずれかに記載のヒートポンプシステムの室外ユニット。
【請求項６】
前記グリル取っ手部の内部空間の奥行きは、平均３０ｍｍ以上である、請求項５に記載のヒートポンプシステムの室外ユニット。
【請求項７】
前記グリル取っ手部と、前記グリル取っ手部に近接する前記空気吹出口の端部との距離は、８０ｍｍ以上である、請求項１〜６のいずれかに記載のヒートポンプシステムの室外ユニット。
【請求項８】
前記正面視における前記送風機室側の側板（１２）の上部に、運搬者の指が掛かる側板取っ手部（１３）が形成されている、請求項１〜７のいずれかに記載のヒートポンプシステムの室外ユニット。
【請求項９】
前記グリル取っ手部と前記側板取っ手部とは概ね同一の高さに位置している、請求項８に記載のヒートポンプシステムの室外ユニット。
【請求項１０】
前記グリル取っ手部の内部空間の上面となる取っ手面（２４ａ）と、前記取っ手面と連続して、前記内部空間から上方に延びる第２面（２４ｂ）と、前記第２面と連続して前記取っ手面と対向する第３面（２４ｃ）と、がコの字状に形成されている、請求項１〜９のいずれかに記載のヒートポンプシステムの室外ユニット。
【請求項１１】
前記取っ手面には、前記空気吹出口が形成されている前板に係止する係止部（２４ｄ）が設けられている、請求項１０に記載のヒートポンプシステムの室外ユニット。
【発明の詳細な説明】
【技術分野】
【０００１】
本発明は、ヒートポンプシステムの室外ユニットに関する。
【背景技術】
【０００２】
特許文献１（特開２０１３−１３９９２６号公報）には、吹出グリルに把持部が形成された室外ユニットが開示されている。把持部は、正面視における吹出グリルの左下下部に形成されている。室外ユニット左側の運搬者は、一方の手指を吹出グリル左下下部の把持部に掛け、他方の手指で室外ユニットの左下下部を支える。室外ユニット右側の運搬者は、正面パネルの右側に設けられた把持部に手をかける等して右側から室外ユニットを支える。このようにして、一組の運搬者が室外ユニットを支えて運搬する。
【０００３】
また、特許文献２（特開平７−３０１４３４号公報）には、室外ユニットの左側板のうち左側方に取っ手を設け、室外ユニットの前面右側に取っ手を設けている構成が開示されている。
【発明の概要】
【発明が解決しようとする課題】
【０００４】
しかし、特許文献１の吹出グリルの左下下部の把持部は、吹出グリルの背面かつ下部に形成されおり、運搬者が室外ユニット正面から把持部を確認しづらい。よって、室外ユニットの運搬の際に運搬者が手指を把持部に掛けるのに手間がかかる。また、特許文献１では、把持部が吹出グリルの左下下部に設けられているため、室外ユニット左側の運搬者は、室外ユニットの中央よりも下方において室外ユニットを支持する。そのため、床面に置かれた室外ユニットを、中腰状態から起立状態まで持ち上げて運搬する必要があり、運搬者の負担が大きい。
【０００５】
また、特許文献２においては、左側板の取っ手は、左側板の中央よりも偏った側、つまり中央よりも左側（後方）に形成されている。そのため、運搬者が左側板の取っ手を用いて室外ユニットの左側を支えると、室外ユニットが前側に傾き、重量バランスが悪い。よって、運搬者は、室外ユニットを安定よく運搬することが困難である。
【０００６】
そこで、本発明は、運搬者にとって運搬が容易なヒートポンプシステムの室外ユニットを提供することを目的とする。
【課題を解決するための手段】
【０００７】
本発明の第１観点に係るヒートポンプシステムの室外ユニットには、プロペラファンが置かれる送風機室と、送風機室に隣接し、圧縮機が置かれる機械室とが配置される。室外ユニットは、送風機室の前側に位置し、空気吹出口を覆う吹出グリルを備えている。吹出グリルには、正面視において、送風機室側の端の上部に運搬者の指が入るグリル取っ手部が形成されている。
【０００８】
第１観点のヒートポンプシステムの室外ユニットによれば、吹出グリルのグリル取っ手部は、送風機室側の端の上部に設けられている。運搬者がグリル取っ手部に指を入れることで、室外ユニットの重量バランスが良くなり、室外ユニットの運搬が容易である。
【０００９】
本発明の第２観点に係るヒートポンプシステムの室外ユニットは、第１観点に係るヒートポンプシステムの室外ユニットにおいて、吹出グリルには、運搬者の指の入り込みを防ぐ複数の桟が互いに離隔して設けられている。グリル取っ手部の内部空間の所定方向の長さは、グリル取っ手部の周囲において隣接する桟の所定方向の間隔よりも大きい。
【００１０】
第２観点のヒートポンプシステムの室外ユニットによれば、運搬者はグリル取っ手部内に容易に指を入れることができる。
【００１１】
本発明の第３観点に係るヒートポンプシステムの室外ユニットは、第２観点に係るヒートポンプシステムの室外ユニットにおいて、複数の桟は、左右方向に延び、かつ上下方向に離隔している。グリル取っ手部の内部空間の上下方向の高さは、グリル取っ手部の周囲において隣接する桟の高さ方向の隙間よりも大きい。
【００１２】
第３観点のヒートポンプシステムの室外ユニットによれば、運搬者はグリル取っ手部内に容易に指を入れることができる。
【００１３】
本発明の第４観点に係るヒートポンプシステムの室外ユニットは、第２観点に係るヒートポンプシステムの室外ユニットにおいて、複数の桟は、上下方向に延びつつ左右方向に離隔している。グリル取っ手部の内部空間の左右方向の幅は、グリル取っ手部の周囲において隣接する桟の左右方向の隙間よりも大きい。
【００１４】
第４観点のヒートポンプシステムの室外ユニットによれば、運搬者はグリル取っ手部内に容易に指を入れることができる。
【００１５】
本発明の第５観点に係るヒートポンプシステムの室外ユニットは、第１〜第４観点のいずれかに係るヒートポンプシステムの室外ユニットにおいて、グリル取っ手部の内部空間の奥行きは、平均２０ｍｍ以上である。
【００１６】
第５観点のヒートポンプシステムの室外ユニットによれば、グリル取っ手部の内部空間の奥行きは平均２０ｍｍ以上であるので、運搬者は少なくとも指の先端をグリル取っ手部に入れることができる。
【００１７】
本発明の第６観点に係るヒートポンプシステムの室外ユニットは、第５観点に係るヒートポンプシステムの室外ユニットにおいて、グリル取っ手部の内部空間の奥行きは、平均３０ｍｍ以上である。
【００１８】
第６観点のヒートポンプシステムの室外ユニットによれば、グリル取っ手部の内部空間の奥行きの距離は、３０ｍｍ以上であり、運搬者は、グリル取っ手部のより奥に指を入れて、室外ユニットの正面側を安定良く支持することができる。
【００１９】
本発明の第７観点に係るヒートポンプシステムの室外ユニットは、第１〜第６観点のいずれかに係るヒートポンプシステムの室外ユニットにおいて、グリル取っ手部と、グリル取っ手部に近接する空気吹出口の端部との距離は、８０ｍｍ以上である。
【００２０】
第７観点のヒートポンプシステムの室外ユニットによれば、運搬者がグリル取っ手部に指を入れても、運搬者の指が空気吹出口内に入らず、指がプロペラファンに巻き込まれない。
【００２１】
本発明の第８観点に係るヒートポンプシステムの室外ユニットは、第１〜第７観点のいずれかに係るヒートポンプシステムの室外ユニットにおいて、正面視における送風機室側の側板の上部に、運搬者の指が掛かる側板取っ手部が形成されている。
【００２２】
第８観点のヒートポンプシステムの室外ユニットによれば、送風機室側の運搬者は、一方の手をグリル取っ手部に掛け、他方の手を側板取っ手部に掛けることで、室外ユニットを安定良く支持することができる。
【００２３】
本発明の第９観点に係るヒートポンプシステムの室外ユニットは、第８観点に係るヒートポンプシステムの室外ユニットにおいて、グリル取っ手部と側板取っ手部とは概ね同一の高さに位置している。
【００２４】
第９観点のヒートポンプシステムの室外ユニットによれば、グリル取っ手部と側板取っ手部とが同程度の高さであるので、運搬者は室外ユニットを安定良く支持することができる。
【００２５】
本発明の第１０観点に係るヒートポンプシステムの室外ユニットは、第１〜第９観点のいずれかに係るヒートポンプシステムの室外ユニットにおいて、取っ手面と、第２面と、第３面と、がコの字状に形成されている。取っ手面は、グリル取っ手部の内部空間の上面となる。第２面は、取っ手面と連続して、内部空間から上方に延びる。第３面は、第２面と連続して取っ手面と対向する。
【００２６】
第１０観点のヒートポンプシステムの室外ユニットによれば、吹出グリルの強度が増し、室外ユニットの重量を十分に支えることができる。
【００２７】
本発明の第１１観点に係るヒートポンプシステムの室外ユニットは、第１０観点に係るヒートポンプシステムの室外ユニットにおいて、取っ手面には、空気吹出口が形成されている前板に係止する係止部が設けられている。
【００２８】
第１１観点のヒートポンプシステムの室外ユニットによれば、グリル取っ手部の係止部を介して、吹出グリルを前板に容易に位置決めでき、また安定良く固定することができる。
【発明の効果】
【００２９】
第１観点に係るヒートポンプシステムの室外ユニットでは、室外ユニットの運搬が容易である。
【００３０】
第２〜第６観点のヒートポンプシステムの室外ユニットでは、運搬者はグリル取っ手部内に容易に指を入れることができる。
【００３１】
第７観点のヒートポンプシステムの室外ユニットでは、運搬者の指がプロペラファンに巻き込まれない。
【００３２】
第８及び第９観点のヒートポンプシステムの室外ユニットでは、運搬者は室外ユニットを安定良く支持することができる。
【００３３】
第１０観点のヒートポンプシステムの室外ユニットでは、運搬者は室外ユニットの重量を十分に支えることができる。
【００３４】
第１１観点のヒートポンプシステムの室外ユニットでは、吹出グリルを前板に容易に位置決めできる。
【図面の簡単な説明】
【００３５】
【図１】本発明の一実施形態に係る室外ユニットの正面図である。
【図２】図１の室外ユニット１００の左前方斜視図である。
【図３】図１の室外ユニット１００の右後方斜視図である。
【図４】吹出グリル２０、前板１１、及び天板１８等が外された状態の室外ユニット１００の斜視図である。
【図５】吹出グリル２０の正面図である。
【図６】図５のＩ−Ｉ断面図であり、後述の図９のＩ−Ｉ断面図である。
【図７】室外ユニット１００の左側面図である。
【図８】グリル取っ手部２３近傍の構成を拡大した左前方斜視図である。
【図９】室外ユニット１００の左上部近傍の正面図である。
【図１０】グリル取っ手部２３近傍を下方から見た下方斜視図である。
【図１１】吹出グリル２０の背面からグリル取っ手部２３を見た背面斜視図である。
【図１２】図９のＩＩ−ＩＩにおける断面図である。
【図１３】試験指２００を示す構成図である。
【図１４】グリル取っ手部２３を有する吹出グリル２０の変形例の正面模式図（１）である。
【図１５】グリル取っ手部２３を有する吹出グリル２０の変形例の正面模式図（２）である。
【図１６】グリル取っ手部２３を有する吹出グリル２０の変形例の正面模式図（３）である。
【図１７】グリル取っ手部２３を有する吹出グリル２０の変形例の正面模式図（４）である。
【図１８】グリル取っ手部２３を有する吹出グリル２０の変形例の正面模式図（５）である。
【図１９】グリル取っ手部２３を有する吹出グリル２０の変形例の正面模式図（６）である。
【図２０】変形例に係る室外ユニット１００の左上部近傍の正面図である。
【図２１】図２０のグリル取っ手部２３０近傍の構成を拡大した左前方斜視図である。
【図２２】図２０のグリル取っ手部２３０近傍を下方から見た下方斜視図である。
【図２３】図２０のＩＩＩ−ＩＩＩ断面図である。
【発明を実施するための形態】
【００３６】
以下、図面を参照しながら、本発明の実施形態について説明する。なお、以下の実施形態は、本発明の具体例であって、本発明の技術的範囲を限定するものではない。
【００３７】
＜実施形態＞
以下では、空気調和装置の室外ユニットを例に挙げて本実施形態を説明する。しかし、本発明は、給湯器の室外ユニットを含むヒートポンプシステムの室外ユニットに適用可能である。
【００３８】
（１）室外ユニットの構成
（１−１）全体構成
図１は、本発明の一実施形態に係る室外ユニット１００の正面図である。図２は、図１の室外ユニット１００の左前方斜視図である。図３は、図１の室外ユニット１００の右後方斜視図である。図４は、吹出グリル２０、前板１１、及び天板１８等が外された状態の室外ユニット１００の斜視図である。
【００３９】
尚、以下の説明においては、「上」、「下」、「左」、「右」、「正面」、「前」、「背面」、「後」等の方向を示す表現を適宜用いている。これらの方向は、図１等に示すように室外ユニット１００が通常使用される状態での各方向を表す。「正面」と「前」とは同方向である。また、「背面」と「後」とは同方向である。
【００４０】
図１〜図３に示すように、室外ユニット１００はその外形をケーシング１０が構成している。ケーシング１０は、例えば概ね直方体状である。ケーシング１０の内部空間の背面側には室外熱交換器４３が設けられており、ケーシング１０の内部空間の前面側には室外ファン４５が設けられている。また、ケーシング１０の前面には、少なくとも空気吹出口４９を覆うように吹出グリル２０が取り付けられている。室外ファン４５が駆動されると、外気が室外熱交換器４３の後方側から吸い込まれ、室外熱交換器４３を通過し、空気吹出口４９から吹き出される。空気吹出口４９から吹き出された空気は、吹出グリル２０を経て室外ユニット１００外部に吹き出される。
【００４１】
（１−２）各部の構成
次に各部の構成について説明する。
【００４２】
（１−２−１）ケーシング１０、
ケーシング１０は、前板１１（図１、図２）と、左側板１２（図２）と、右側板１４（図３）と、天板１８（図３）、底板１９（図１〜図４）とを含む。
【００４３】
前板１１は、室外ユニット１００の前面に位置する。
【００４４】
左側板１２は、室外ユニット１００の正面視に対して、左側に位置する。左側板１２には、室外ユニット１００に外気を取り込むために複数の左側板開口部１２ａが設けられている。図４に示すように、左側板１２は、Ｌ字状の室外熱交換器４３の一面に沿って立設しており、左側板開口部１２ａから室外熱交換器４３に外気を供給する。
【００４５】
左側板１２の左上方には、左側板取っ手部１３が設けられている。左側板取っ手部１３は、運搬者が室外ユニット１００の左側を把持するための把持部である。左側板取っ手部１３は、運搬者の手指が掛かり易い形状に形成されている。例えば、左側板取っ手部１３は運搬者の手指に沿った形状の部材であり、左側板１２から突出するように取り付けられている。
【００４６】
図４に示すように室外熱交換器４３はＬ字状に屈曲している。よって、左側板１２の左側、つまり左側板１２の後側と、室外熱交換器４３との間に隙間が設けられている。より具体的には、左側板１２の右側（前側）と室外熱交換器４３との隙間よりも、左側板１２の左側（後側）と室外熱交換器４３との間の隙間の方が大きい。左側板取っ手部１３は、この隙間が大きい左側板１２の左側（後側）に設けられている。よって、左側板開口部１２ａを把持した使用者の手指が、隣接する左側板開口部１２ａを介して室外熱交換器４３と接触するのを抑制できる。また、隙間が大きい左側板１２の左側（後側）に左側板取っ手部１３を設けることで、通風抵抗も抑制できる。
【００４７】
右側板１４は、室外ユニット１００の正面視に対して、右側に位置する。図３に示すように、右側板１４には、閉鎖弁カバー１５が取り付けられている。閉鎖弁カバー１５は、右側板１４から突出したガス冷媒用閉鎖弁及び液冷媒用閉鎖弁等の閉鎖弁を保護するためのカバーである。閉鎖弁カバー１５の上部には、右側板１４の前後方向の概ね中央部に右側板取っ手部１６が設けられている。右側板取っ手部１６は、運搬者が室外ユニット１００の右側を把持するための把持部である。右側板取っ手部１６は、運搬者の手指が掛かり易い形状に形成されており、閉鎖弁カバー１５の平面から突出している。
【００４８】
天板１８は、室外ユニット１００の上部に位置する。底板１９は、室外ユニット１００の下部に位置する。
【００４９】
ケーシング１０の内部空間は、仕切板３０（図４）によって機械室３１と送風機室３３とに分けられている。機械室３１には、圧縮機４１等が配置されている。送風機室３３には、室外熱交換器４３及び室外ファン４５が配置されている。
【００５０】
仕切板３０は、天板１８側から底板１９側に向って鉛直方向に延びている。また、仕切板３０は、前後方向において、室外熱交換器４３の右端から前方に向かって機械室３１を囲むように円弧状に延びている。その結果、仕切板３０は送風機室３３から機械室３１に風が回り込まないように遮蔽する機能を有している。
【００５１】
また、図４に示すように、前板１１には、円形状の空気吹出口４９が形成されている。空気吹出口４９は、室外ファン４５に対応するように、送風機室３３の前側に位置している。空気吹出口４９には、図４に示すようにその周縁に沿うようにリング状のベルマウス４７が取り付けられている。
【００５２】
（１−２−２）圧縮機４１
圧縮機４１は、機械室３１側に位置しており、底板１９に固定されている。圧縮機４１は、冷媒を圧縮するためのものであって、圧縮機モータ（図示せず）によって駆動される。運転時、圧縮機４１は高温になるので、機械室３１は送風機室３３に比較して温度が高くなっている。
【００５３】
（１−２−３）室外熱交換器４３
室外熱交換器４３は送風機室３３に配置されている。室外ファン４５が駆動することにより、室外ユニット１００外部から室外熱交換器４３に空気が取り込まれる。室外熱交換器４３は、ケーシング１０内に取り込まれた外気と、室外熱交換器４３内を流れる冷媒との間で熱交換を行う。
【００５４】
室外熱交換器４３は、ケーシング１０の背面部と左側板１２とに対峙して、概ねＬ字状に形成されている。また、室外熱交換器４３の高さは、天板１８と底板１９との距離にほぼ等しい寸法を有している。
【００５５】
（１−２−４）室外ファン４５
図４に示すように、室外ファン４５は、ファンモータ４５ａによって駆動されるプロペラ４５ｂを有しており、室外熱交換器４３の下流側に設けられている。プロペラ４５ｂの一部は、ベルマウス４７で囲まれた空間内に入るように配置されている。
【００５６】
（１−２−５）吹出グリル２０
図１、図２に示すように、吹出グリル２０は、ケーシング１０の前板１１に取り付けられ、空気吹出口４９を覆っている。吹出グリル２０が空気吹出口４９を覆うことで、外部からプロペラ４５ｂに触れられないようになっている。また、吹出グリル２０には、外気を吹き出すため、開口部が多数形成されている。
【００５７】
（２）吹出グリル２０の詳細構成
次に、本発明の一実施形態に係る室外ユニット１００の吹出グリル２０の詳細構成について説明する。図５は吹出グリル２０の正面図である。図６は、図５のＩ−Ｉ断面図であり、後述の図９のＩ−Ｉ断面図である。図７は室外ユニット１００の左側面図である。
【００５８】
（２−１）吹出グリル２０の枠体及び桟
図２、図５等に示すように、吹出グリル２０は、空気吹出口４９を覆うように前板１１の前面に取り付けられている。図７に示すように、吹出グリル２０は、前板１１の平面から突出している。吹出グリル２０の前板１１からの最大突出距離は、距離Ｌ６である。距離Ｌ６は例えば約５０ｍｍである。なお、距離Ｌ６は約５０ｍｍに限定されず、それ以上であってもよいし、それ以下であってもよい。ただし、距離Ｌ６は、後述のグリル取っ手部２３に指を入れることが可能な程度の距離であるのが好ましい。
【００５９】
吹出グリル２０は、枠体２４〜２７として、庇部２４と、左側部２５と、右側部２６と、底部２７とを含む。庇部２４、左側部２５、右側部２６及び底部２７が一体に連結されることで、枠体２４〜２７を構成している。
【００６０】
庇部２４は、吹出グリル２０の最上部に位置している。庇部２４は、吹出グリル２０の上部全体を覆うように、左右に長く延びている。庇部２４は、図６に示すように、第１面２４ａ−１と、第２面２４ｂと、第３面２４ｃと、取り付け面２４ｄと、を含む。取り付け面２４ｄは、前板１１に沿って概ね上下方向に延びる平面である。吹出グリル２０は、この取り付け面２４ｄを介してネジ止め等により前板１１に取り付けられる。第１面２４ａ−１、第２面２４ｂ、第３面２４ｃ及び取り付け面２４ｄは、順に一連に形成されている。そして、第１面２４ａ−１と、第２面２４ｂと、第３面２４ｃとが、後方に開口を有するコの字状、言い換えれば、後方に開口を有するＵ字状又はＶ字状を形成している。また、庇部２４の第３面２４ｃは、後側から前側に向かって、下方に傾斜している。ただし、庇部２４の第３面２４ｃは必ずしも傾斜している必要はない。
【００６１】
左側部２５は、吹出グリル２０の正面視において左に位置する。左側部２５は、図７に示すように庇部２４の後側と連続している。
【００６２】
底部２７は、吹出グリル２０の最下部に位置している。底部２７は、図５に示すように、左側において左側部２５と連続しており、右側において右側部２６と連続している。
【００６３】
右側部２６は、吹出グリル２０の正面視において右に位置する。本実施形態では、右側部２６は、庇部２４の右端部と底部２７の右端部との間を連結する壁面として形成されている。
【００６４】
また、吹出グリル２０の枠体２４〜２７の内部に、左右方向に延びる複数の横桟２１と、上下方向に延びる複数の縦桟２２とが設けられている。横桟２１は、左側部２５と右側部２６との間に設けられている。横桟２１の左端部は左側部２５と連結され、横桟２１の右端部は右側部２６と連結されている。また、縦桟２２は、庇部２４と底部２７との間に設けられている。縦桟２２の上端部は庇部２４と連結され、縦桟２２の下端部は底部２７と連結されている。横桟２１と縦桟２２との隙間によって、吹出グリル２０の開口部が形成されている。
【００６５】
本実施形態では、上下に隣接する横桟２１は、手指が入らない程度の距離Ｌ４だけ離隔している。例えば、距離Ｌ４は約１０ｍｍ〜１４ｍｍである。縦桟２２は、横桟２１が撓まないように横桟２１を互いに連結して支持している。左右に隣接する縦桟２２は、所定の距離Ｌ５だけ離隔して配置されている。例えば、距離Ｌ５は約５０ｍｍである。ただし、横桟２１間の距離Ｌ４は、手指が入らない程度の距離であれば、約１０ｍｍ〜１４ｍｍに限定されない。また、縦桟２２は横桟２１を適切に支持できればよく、縦桟２２間の距離Ｌ５は約５０ｍｍに限定されない。
【００６６】
吹出グリル２０は、例えばＡＢＳ樹脂及びエポキシ樹脂等の樹脂から形成されている。ただし、吹出グリル２０の材質は、樹脂に限られず、例えばステンレス等の金属であってもよい。
【００６７】
（２−２）グリル取っ手部２３
吹出グリル２０は、図２及び図５に示すように、グリル取っ手部２３を含む。グリル取っ手部２３の構成について以下に説明する。
【００６８】
図８は、グリル取っ手部２３近傍の構成を拡大した左前方斜視図である。図９は、室外ユニット１００の左上部近傍の正面図である。図１０は、グリル取っ手部２３近傍を下方から見た下方斜視図である。図１１は、吹出グリル２０の背面からグリル取っ手部２３を見た背面斜視図である。図１２は、図９のＩＩ−ＩＩにおける断面図である。図１３は、試験指２００を示す構成図である。
【００６９】
（ａ）グリル取っ手部２３の形成位置
まず、吹出グリル２０内におけるグリル取っ手部２３の形成位置について説明する。
【００７０】
グリル取っ手部２３は、正面視において、吹出グリル２０の送風機室３３側の端の上部に形成されている。つまり、グリル取っ手部２３は、正面視において、吹出グリル２０の左端の上部に形成されている。吹出グリル２０の左端の上部とは、吹出グリル２０の左角だけではなく、左角の近傍を含むものとする。左角の近傍とは、例えば、吹出グリル２０のうち、室外ユニット１００の運搬者がグリル取っ手部２３に手指を入れた場合であっても、その手指が空気吹出口４９に入らない領域である。つまり、左角の近傍とは、吹出グリル２０のうち、グリル取っ手部２３と空気吹出口４９との距離が手指の長さよりも大きい、左端の上部領域である。
【００７１】
例えば、グリル取っ手部２３と、グリル取っ手部２３に最も近接する空気吹出口４９の端部との距離、つまり、グリル取っ手部２３と空気吹出口４９との最短距離は、８０ｍｍ以上である。この場合、グリル取っ手部２３と空気吹出口４９の端部とが８０ｍｍ以上であり、試験指２００の長さ以上離れている。よって、運搬者がグリル取っ手部２３に指を入れても、運搬者の指が空気吹出口４９内に入らず、指が室外ファン４５に巻き込まれない。
【００７２】
このように、吹出グリル２０のグリル取っ手部２３は、送風機室３３側の端の上部に設けられている。運搬者は、グリル取っ手部２３に指を入れることで、室外ユニット１００が前側に傾かないように、室外ユニット１００を安定良く支持することができる。よって、運搬者が室外ユニット１００を運搬する際に、室外ユニット１００の重量バランスが良くなり、室外ユニット１００の運搬が容易である。
【００７３】
また、グリル取っ手部２３は、吹出グリル２０の正面視側に設けられており、かつ端の上部に設けられている。よって、運搬者は、グリル取っ手部２３を容易に確認することができる。そのため、運搬者はグリル取っ手部２３に容易に指を入れて、運搬作業をスムーズに行うことができる。
【００７４】
さらには、グリル取っ手部２３が吹出グリル２０の端の上部に設けられているため、運搬者は起立状態のままでグリル取っ手部２３に指を入れて室外ユニット１００を運搬することができる。つまり、グリル取っ手部２３に指を入れて室外ユニット１００を少し浮かせて、所定の位置まで運搬する一連の作業を、運搬者は起立状態のままで行うことができる。よって、運搬者は姿勢を大きく変える必要が無いため、運搬作業における運搬者の負担が抑制される。
【００７５】
なお、本実施形態では、正面視において、吹出グリル２０の左角で、かつ庇部２４の下部に、概ね長方形状のグリル取っ手部２３が形成されている。
【００７６】
また、図８等に示すように、グリル取っ手部２３と、左側板１２の左上の左側板取っ手部１３と、は概ね同一の高さに形成されていると好ましい。グリル取っ手部２３と左側板取っ手部１３とが同程度の高さであると、送風機室３３側の運搬者は、グリル取っ手部２３に掛けた一方の手と、左側板取っ手部１３に掛けた他方の手とを概ね同一の高さとすることができる。よって、室外ユニット１００を安定良く支持することができる。つまり、運搬者は同程度の高さ位置の両手で室外ユニット１００を支持できるため、姿勢を崩すことなく室外ユニット１００を支持できる。また、運搬者は、室外ユニット１００の正面側をグリル取っ手部２３に掛けた指で支持し、室外ユニット１００の左後方を左側板取っ手部１３に掛けた指で支持する。よって、室外ユニット１００の送風機室３３側において、室外ユニット１００の正面側及び左後方側がともに支持される。よって、運搬時に室外ユニット１００を安定良く支持できる。
【００７７】
ここで、試験指２００は、図１３に示すように、円板状の停止板２０１と、停止板２０１から延びる第１円柱部２０２と、第１円柱部２０２から延びる第２円柱部２０３（第３部）と、第２円柱部２０３から延びる第３円柱部２０４（第２部）と、第３円柱部２０４から延びる疑似指先部２０５（第１部）と、を含む。第３円柱部２０４と疑似指先部２０５とが所定角度曲がるように第１関節部を構成する。また、第２円柱部２０３と第３円柱部２０４とが所定角度曲がるように第２関節部を構成する。これらの第１関節部及び第２関節部によって、試験指２００は所定角度曲がるように構成されている。試験指２００の寸法は、Ｌ１１＝８０ｍｍ、Ｌ１２＝６０ｍｍ、Ｌ１３＝２０ｍｍ、Ｌ１４＝７５ｍｍ、Ｄ＝１２ｍｍである。
【００７８】
（ｂ）グリル取っ手部２３の内部空間Ｓの大きさ
次に、グリル取っ手部２３の内部空間Ｓの大きさについて説明する。
【００７９】
グリル取っ手部２３は、運搬者の指が入るように形成されている。つまり、グリル取っ手部２３の内部空間Ｓは、運搬者の指が入る大きさである。よって、グリル取っ手部２３の内部空間Ｓの所定方向の長さは、グリル取っ手部２３の周囲の桟２１、２２の距離よりも大きい。そのため、運搬者は、グリル取っ手部２３の内部空間Ｓに容易に指を入れることができる。また、運搬者は、グリル取っ手部２３の内部空間Ｓが周囲の桟２１、２２よりも大きいことによって、グリル取っ手部２３を周囲の桟２１、２２から容易に区別して確認することができる。
【００８０】
より具体的には、図９等に示すように、グリル取っ手部２３は、正面視において、概ね長方形状に形成されている。つまり、グリル取っ手部２３は、後述の長方形状の開口部２３ａを正面側に有している。そして、図１０等に示すように、グリル取っ手部２３は、開口部２３ａを正面側として、その奥側に内部空間Ｓを有している。内部空間Ｓは、例えば、開口部２３ａと同程度の開口が正面側から奥側に続く空間であり得る。この場合、内部空間Ｓは、直方体状であり得る。ただし、内部空間Ｓはこれに限定されない。例えば、内部空間Ｓは、開口部２３ａを開口として、吹出グリル２０と前板１１とが離隔した空間ＳＧの少なくとも一部であり得る。
【００８１】
さらに具体的には、正面視において、グリル取っ手部２３の上下方向の距離Ｌ１は、隣接する横桟２１の上下方向の距離Ｌ４よりも大きい。ここで、上下方向に隣接する横桟２１は、手指が入らない程度の距離Ｌ４だけ離隔している。グリル取っ手部２３の距離Ｌ１が距離Ｌ４よりも大きいため、運搬者はグリル取っ手部２３の内部空間Ｓに指を入れることができる。
【００８２】
本実施形態では、一例として、図９に示すように、グリル取っ手部２３では、１本の横桟２１が省略されている。よって、正面視において、グリル取っ手部２３の距離Ｌ１は、横桟２１の上下方向の距離Ｌ４の約２倍であり、約２０ｍｍ〜２８ｍｍである。ただし、グリル取っ手部２３の距離Ｌ１はグリル取っ手部２３に手指が入る程度の距離であればよく、約２０ｍｍ〜２８ｍｍに限定されない。さらに、例えば、運搬者がグリル取っ手部２３に手指を入れた場合であっても、その手指が空気吹出口４９に入らないように、距離Ｌ１が調整されるのが好ましい。よって、前記の点を考慮にいれつつ、グリル取っ手部２３において、複数本の横桟２１が省略されてもよい。この場合、グリル取っ手部２３の距離Ｌ１は、横桟２１の上下方向の距離Ｌ４の約３倍以上となり得る。
【００８３】
また、図９に示すように、正面視において、グリル取っ手部２３の左右方向の長さは距離Ｌ２である。本実施形態では、一例として、図９に示すように、距離Ｌ２は、左右方向に隣接する縦桟２２間の距離Ｌ５と同程度である。よって、グリル取っ手部２３の距離Ｌ２は、縦桟２２の左右方向の距離Ｌ５と同程度の約５０ｍｍである。図９に示すグリル取っ手部２３の場合には、１本の横桟２１のみを省略すればよく、縦桟２２は構成を変更する必要がない。よって、グリル取って部２３の設計及び製造が容易である。ただし、グリル取っ手部２３の距離Ｌ２はグリル取っ手部２３に手指が入る程度の距離であればよく、約５０ｍｍに限定されない。さらに、例えば、運搬者がグリル取っ手部２３に手指を入れた場合であっても、その手指が空気吹出口４９に入らないように、距離Ｌ２が調整されるのが好ましい。よって、前記の点を考慮にいれつつ、グリル取っ手部２３において、複数本の縦桟２２が省略されてもよい。この場合、グリル取っ手部２３の距離Ｌ２は、縦桟２２の左右方向の距離Ｌ５の約２倍以上となり得る。あるいは、距離Ｌ２は距離Ｌ５よりも小さくてもよい。
【００８４】
また、図７、図８に示すように、グリル取っ手部２３の内部空間Ｓの奥行きは距離Ｌ３である。なお、奥行き方向は、図７、図８に示すように、室外ユニット１００の前後方向である。本実施形態では、距離Ｌ３は、吹出グリル２０の最大突出距離Ｌ６と同程度であり、例えば約５０ｍｍである。グリル取っ手部２３の内部空間Ｓの奥行きの距離Ｌ３と、吹出グリル２０の最大突出距離Ｌ６とを一致させることで、グリル取っ手部２３の構成を簡単にできる。つまり、グリル取っ手部２３の奥側に別途の壁面を設けることなく、吹出グリル２０の奥行きの空間をそのままグリル取っ手部２３の奥行きの空間に利用することができる。しかし、グリル取っ手部２３の奥行きの距離Ｌ３はこれに限定されず、吹出グリル２０の奥行きの距離Ｌ６よりも小さくてもよい。
【００８５】
例えば、グリル取っ手部２３の内部空間Ｓの奥行きの距離Ｌ３は、平均２０ｍｍ以上であってもよい。この場合、グリル取っ手部２３の内部空間Ｓの奥行きは平均２０ｍｍ以上であるので、運搬者は少なくとも指の先端をグリル取っ手部２３に入れることができる。よって、運搬者は、グリル取っ手部２３の内部空間Ｓに指を入れて、室外ユニット１００の正面側を安定良く支持することができる。
【００８６】
また、例えば、グリル取っ手部２３の内部空間Ｓの奥行きの距離Ｌ３は、平均３０ｍｍ以上であってもよい。この場合、グリル取っ手部２３の内部空間Ｓの奥行きは平均３０ｍｍ以上であるので、試験指２００の第３円柱部２０４（第２部）の少なくとも一部が入る距離である。運搬者は、指の先端から第１関節を経て、第１関節から第２関節までの少なくとも一部を、グリル取っ手部２３の内部空間Ｓに入れることができる。よって、運搬者は、グリル取っ手部２３のより奥に指を入れて、室外ユニット１００の正面側を安定良く支持することができる。
【００８７】
（ｃ）グリル取っ手部２３の内部空間Ｓの構成
次に、グリル取っ手部２３の内部空間Ｓの構成について説明する。本実施形態のグリル取っ手部２３は、図８〜図１０に示すように吹出グリル２０の左角であり、かつ庇部２４の下部に形成されている。
【００８８】
図１０に示すように、グリル取っ手部２３の内部空間Ｓは、開口部２３ａを有している。開口部２３ａは、上から２番目の第２番目横桟２１ａと、枠体２４〜２７と一体の左端から１番目の第１番目縦桟２２ａと、左端から２番目の第２番目縦桟２２ｂと、庇部２４の第１延長面２４ａと、によって囲まれる領域である。開口部２３ａは、正面視において概ね長方形状である。
【００８９】
開口部２３ａから奥側、つまり後方には、グリル取っ手部２３の内部空間Ｓを含む空間ＳＧが設けられている。言い換えれば、グリル取っ手部２３の内部空間Ｓは、空間ＳＧの一部である。一例として、グリル取っ手部２３の内部空間Ｓは、開口部２３ａに沿って後方に広がる空間であり、例えば概ね直方体状であり得る。なお、空間ＳＧは、吹出グリル２０と前板１１とが離隔して形成される空間である。具体的には、空間ＳＧは、吹出グリル２０の横桟２１、縦桟２２及び枠体２４〜２７と、前板１１とが離隔した空間である。このようにグリル取っ手部２３の内部空間Ｓが空間ＳＧの一部であるため、空間ＳＧの一部を利用して簡素な構成で内部空間Ｓを設けることができる。
【００９０】
ここで、庇部２４について説明する。庇部２４は、図２等に示すように、前述の通り、吹出グリル２０の上部全体を覆うように吹出グリル２０の最上部に位置しており、左右に長く延びている。図６は、図５のＩ−Ｉ断面図であり、かつ、図９のＩ−Ｉ断面図である。つまり、図６は、グリル取っ手部２３が設けられていない部分の庇部２４の前後方向沿う面の断面図である。なお、図５のＩ−Ｉ断面及び図９のＩ−Ｉ断面は同じ箇所の断面である。
【００９１】
庇部２４は、図６に示すように、第１面２４ａ−１と、第２面２４ｂと、第３面２４ｃと、取り付け面２４ｄと、を含む。
【００９２】
取り付け面２４ｄは、前板１１に沿って概ね上下方向に延びる平面である。
【００９３】
第３面２４ｃは、取り付け面２４ｄの下端から前方に向かって延びる平面である。また、第３面２４ｃは、取り付け面２４ｄから前側に向かって、下方に傾斜している。ただし、第３面２４ｃは、必ずしも傾斜している必要はない。
【００９４】
第２面２４ｂは、第３面２４ｃの前端から下方に折れ曲がる面である。例えば、第２面２４ｂは、上下方向に沿う平面である。
【００９５】
第１面２４ａ−１は、第２面２４ｂの下端から後方に延びる平面である。例えば、第１面２４ａ−１は前後方向に沿う平面であり、第２面２４ｂと第１面２４ａ−１とは概ね直交している。第１面２４ａ−１の前後方向の距離Ｌ２１は、第２面２４ｂの下端から第１面２４ａ−１の後端までの距離である。第１面２４ａ−１の距離Ｌ２１は、第２面２４ｂから取り付け面２４ｄまでの距離Ｌ２２よりも短い。言い換えれば、第１面２４ａ−１の距離Ｌ２１は、第２面２４ｂから前板１１までの距離Ｌ２２よりも短い。ただし、第１面２４ａ−１の距離Ｌ２１はこれに限定されず、第１面２４ａ−１は前板１１の近傍まで延びていてもよい。
【００９６】
ここで、第１面２４ａ−１と、第２面２４ｂと、第３面２４ｃとは、後方に開口を有するコの字状、言い換えれば、後方に開口を有するＵ字状又はＶ字状を形成するように連続している。このように、第１面２４ａ−１と、第２面２４ｂと、第３面２４ｃとが互いに屈曲又は湾曲した構造を形成することで、庇部２４の強度が高まる。
【００９７】
次に、図１２を用いて、グリル取っ手部２３の内部空間Ｓの上部について説明する。図１２は、図９のＩＩ−ＩＩにおける断面図であり、グリル取っ手部２３が設けられている部分の庇部２４の前後方向沿う面の断面図である。図１２に示すように、グリル取っ手部２３の内部空間Ｓでは、破線で示されるように、上から１本目の横桟２１が設けられていない。図６（グリル取っ手部２３が設けられていない部分の断面図）と図１２（グリル取っ手部２３が設けられている部分の断面図）とを比較する。図６では上から１本目の横桟２１が配置されているが、図１２のグリル取っ手部２３の内部空間Ｓでは上から１本目の横桟２１が配置されていない。なお、上から２本目及び３本目の横桟２１については、図６及び図１２ともに配置されている。
【００９８】
さらに図１２を参照すると、グリル取っ手部２３の内部空間Ｓに隣接する庇部２４は、第１延長面２４ａと、第２面２４ｂと、第３面２４ｃと、取り付け面２４ｄと、係止部２４ｅとを含む。取り付け面２４ｄ、第３面２４ｃ及び第２面２４ｂは、上述したグリル取っ手部２３が設けられていない部分の庇部２４と同一の形状である。つまり、取り付け面２４ｄ、第３面２４ｃ及び第２面２４ｂは、グリル取っ手部２３の有無に関わらず同一の形状である。具体的には、取り付け面２４ｄは、前板１１に沿って概ね上下方向に延びる平面である。第３面２４ｃは、取り付け面２４ｄの下端から前方に向かって延びる平面である。第２面２４ｂは、第３面２４ｃの前端から下方に折れ曲がる面である。
【００９９】
図１０〜図１１に示すように、第１延長面２４ａは、グリル取っ手部２３の内部空間Ｓの上面であり、上記の第１面２４ａ−１と連続する面である。なお、第１延長面２４ａは、グリル取っ手部２３が設けられている部分の庇部２４の一部である。一方、第１面２４ａ−１は、グリル取っ手部２３が設けられていない部分の庇部２４の一部である。また、第１延長面２４ａは、第２面２４ｂの下端から後方に延びる平面である。例えば、第１延長面２４ａは前後方向に沿う平面であり、第２面２４ｂと第１延長面２４ａとは概ね直交している。
【０１００】
図１２に示すように、第１延長面２４ａの前後方向の距離Ｌ２３は、第２面２４ｂの下端から第１延長面２４ａの後端までの距離である。つまり、第１延長面２４ａの距離Ｌ２３は、第２面２４ｂの下端から係止部２４ｅまでの距離である。第１延長面２４ａの距離Ｌ２３は、図６に示す第１面２４ａ−１の距離Ｌ２１よりも長い。つまり、第１延長面２４ａは、第１面２４ａ−１が、グリル取っ手部２３の内部空間Ｓに対応する部分において後方に延長して形成された部分である。
【０１０１】
第１延長面２４ａの左右方向の幅は、例えば、開口部２３ａの左右方向の距離Ｌ２（図９）と同程度である。これにより、運搬者がグリル取っ手部２３に指を入れて室外ユニット１００を運搬する場合に、運搬者は第１延長面２４ａをしっかりと支持できる。ただし、第１延長面２４ａの左右方向の幅が、開口部２３ａの左右方向の距離Ｌ２よりも拡大されていてもよい。これにより、開口部２３ａから内部空間Ｓに入れた運搬者の指が内部空間Ｓの奥側に行くほど左右方向にずれた場合であっても、運搬者は第１延長面２４ａをしっかりと支持できる。
【０１０２】
ここで、上記の第１延長面２４ａと、第２面２４ｂと、第３面２４ｃとは、後方に開口を有するコの字状、言い換えれば、後方に開口を有するＵ字状又はＶ字状を形成するように連続している。このように、第１延長面２４ａと、第２面２４ｂと、第３面２４ｃとが互いに屈曲又は湾曲した構造を形成することで、庇部２４の強度が高まる。よって、運搬者は庇部２４の第１延長面２４ａを支持して、室外ユニット１００の重量を十分に支えることができる。
【０１０３】
さらに、図１１に示すように、庇部２４の第１延長面２４ａには、係止部２４ｅが連続して設けられている。係止部２４ｅは、第１延長面２４ａの後端から下方に折れ曲がる部材である。例えば、係止部２４ｅと第１延長面２４ａとは概ね直交している。図１０に示すように、係止部２４ｅは前板１１に係止する。係止部２４ｅを介して、吹出グリル２０を前板１１に容易に位置決めでき、また安定良く固定することができる。
【０１０４】
上記実施形態では、グリル取っ手部２３は吹出グリル２０の左角に、かつ庇部２４の直下に形成されている。よって、庇部２４の第１面２４ａ−１の一部である第１延長面２４ａが、グリル取っ手部２３の内部空間Ｓの上面となっている。しかし、グリル取っ手部２３が庇部２４から離れた位置に形成されていてもよい。そして、グリル取っ手部２３の内部空間Ｓの上面が、庇部２４の第１面２４ａ−１とは異なる部材によって形成されていてもよい。つまり、グリル取っ手部２３の内部空間Ｓの上面を形成する部材と、庇部２４の第１面２４ａ−１とは異なる部材であり得る。グリル取っ手部２３の内部空間Ｓの上面を形成する部材は、例えば板状部材であり得る。また、この板状部材は、例えば横桟２１及び／又は縦桟２２と連結されて支持されている。これにより、運搬者が、内部空間Ｓに指を入れて板状部材を支持することで、室外ユニット１００を支持することができる。さらに、内部空間Ｓの板状部材は、前板１１に係止される係止部を有していてもよい。これにより、板状部材の係止部を介して、吹出グリル２０を前板１１に容易に位置決めでき、また安定良く固定することができる。
【０１０５】
また、上記実施形態では、グリル取っ手部２３の内部空間Ｓは、吹出グリル２０の背面と前板１１との離隔した空間ＳＧの一部である。つまり、上記実施形態では、グリル取っ手部２３の内部空間Ｓは、空間ＳＧと連続している空間である。しかし、グリル取っ手部２３の内部空間Ｓは、別途の部材によって取り囲まれていてもよい。つまり、グリル取っ手部２３の内部空間Ｓは、空間ＳＧとは隔離された空間であってもよい。
【０１０６】
（３）特徴
（３−１）
ヒートポンプシステムの室外ユニット１００には、室外ファン４５が置かれる送風機室３３と、送風機室３３に隣接し、圧縮機４１が置かれる機械室３１とが配置される。送風機室３３の前側に位置し、空気吹出口４９を覆う吹出グリル２０を備える。吹出グリル２０には、正面視において、送風機室３３側の端の上部に運搬者の指が入るグリル取っ手部２３が形成されている。
【０１０７】
吹出グリル２０のグリル取っ手部２３は、送風機室３３側の端の上部に設けられている。運搬者は、グリル取っ手部２３に指を入れることで、室外ユニット１００が前側に傾かないように、室外ユニット１００を安定良く支持することができる。よって、運搬者が室外ユニット１００を運搬する際に、室外ユニット１００の重量バランスが良くなり、室外ユニット１００の運搬が容易である。
【０１０８】
また、グリル取っ手部２３は、吹出グリル２０の正面視側に設けられており、かつ端の上部に設けられている。よって、運搬者は、グリル取っ手部２３を容易に確認することができる。そのため、運搬者はグリル取っ手部２３に容易に指を入れて、運搬作業をスムーズに行うことができる。
【０１０９】
さらには、グリル取っ手部２３が吹出グリル２０の端の上部に設けられているため、運搬者は起立状態のままでグリル取っ手部２３に指を入れて室外ユニット１００を運搬することができる。つまり、グリル取っ手部２３に指を入れて室外ユニット１００を少し浮かせて、所定の位置まで運搬する一連の作業を、運搬者は起立状態のままで行うことができる。よって、運搬者は姿勢を大きく変える必要が無いため、運搬作業における運搬者の負担が抑制される。
【０１１０】
なお、ヒートポンプシステムの室外ユニット１００は、空気調和装置の空調室外ユニット及び給湯器の室外ユニットなどの室外ユニットを含む。
【０１１１】
（３−２）
吹出グリル２０には、運搬者の指の入り込みを防ぐ複数の横桟２１及び縦桟２２が互いに離隔して設けられている。グリル取っ手部２３の内部空間Ｓの所定方向の長さは、グリル取っ手部２３の周囲において隣接する横桟２１又は縦桟２２の所定方向の間隔よりも大きい。
【０１１２】
一般的に、吹出グリル２０には、空気を吹き出しつつ、かつ運搬者の指の入り込みを阻止するために、複数の横桟２１及び縦桟２２が設けられている。複数の横桟２１又は縦桟２２は、運搬者の指が入り込まない程度の間隔を有して互いに離隔している。グリル取っ手部２３の内部空間Ｓの所定方向の長さは、グリル取っ手部２３の周囲において隣接する横桟２１又は縦桟２２の所定方向の間隔よりも大きい。そのため、運搬者はグリル取っ手部２３内に容易に指を入れることができる。また、運搬者は、グリル取っ手部２３の内部空間Ｓの長さが横桟２１又は縦桟２２の間隔よりも大きいことによって、グリル取っ手部２３を周囲の横桟２１及び縦桟２２から容易に区別して確認することができる。
【０１１３】
なお、所定方向とは、例えば、上下方向、左右方向及び半径方向などの方向を含む。また、所定方向とは、隣接する桟と桟との空間のうち、運搬者の指が入り込まない程度の間隔を定義する方向であり得る。例えば、所定の方向とは、隣接する桟と桟との空間のうち、最も長さが短い間隔を定義する方向であり得る。
【０１１４】
例えば、図９に示すように、吹出グリル２０において、左右方向に延びる複数の横桟２１が上下方向に互いに隣接して配置され得る。このとき、隣接する横桟２１の上下方向の隙間（距離Ｌ４）は運搬者の指が入らない高さである。そして、グリル取っ手部２３の内部空間Ｓの上下方向の高さ（距離Ｌ１）は、隣接する横桟２１の上下方向の高さ（距離Ｌ４）よりも大きく設定される。
【０１１５】
また、後述の図１５に示すように、例えば、吹出グリル２０において、上下方向に延びる複数の縦桟２２が左右方向に互いに隣接して配置され得る。このとき、隣接する縦桟２２の左右方向の隙間（距離Ｌ５）は運搬者の指が入らない幅である。そして、グリル取っ手部２３の内部空間Ｓの左右方向の幅（距離Ｌ２）は、隣接する縦桟２２の左右方向の幅（距離Ｌ５）よりも大きく設定される。
【０１１６】
また、後述の図１７に示すように、例えば、吹出グリル２０において、円弧状又は円形状の複数の円弧状桟５０が互いに概ね同心円状に配置され得る。このとき、隣接する円弧状桟５０の半径方向の隙間（距離ＲＬ４）は運搬者の指が入らない長さである。そして、図１７においては、グリル取っ手部２３の半径方向の距離ＲＬ１は、隣接する円弧状桟５０の半径方向の幅（距離ＲＬ４）よりも大きく設定される。また図１８においては、グリル取っ手部２３の上下方向の距離Ｌ１、左右方向の距離Ｌ２及び半径方向の距離ＲＬ１のうち少なくとも１つは、隣接する円弧状桟５１の半径方向の距離ＲＬ４よりも大きく設定される。
【０１１７】
（３−３）
図９に示すように、複数の横桟２１は、左右方向に延び、かつ上下方向に離隔している。グリル取っ手部２３の内部空間Ｓの上下方向の高さ（距離Ｌ１）は、グリル取っ手部２３の周囲において隣接する横桟２１の高さ方向の隙間（距離Ｌ４）よりも大きい。
【０１１８】
吹出グリル２０には、左右方向に延び、かつ上下方向に離隔する複数の横桟２１が設けられている。上下に隣接する横桟２１の隙間（距離Ｌ４）は、吹出グリル２０から空気吹出口４９の内部に向かって指が入らない高さに設定されている。グリル取っ手部２３の内部空間Ｓの高さ（距離Ｌ１）は、グリル取っ手部２３の周囲において隣接する横桟２１の高さ（距離Ｌ４）よりも大きいため、運搬者は容易に指を入れることができる。また、運搬者は、高さの違いによりグリル取っ手部２３を容易に確認することができる。
【０１１９】
（３−４）
後述の図１５に示すように、複数の縦桟２２は、上下方向に延びつつ左右方向に離隔している。グリル取っ手部２３の内部空間Ｓの左右方向の幅（距離Ｌ２）は、グリル取っ手部２３の周囲において隣接する縦桟２２の左右方向の隙間（距離Ｌ５）よりも大きい。
【０１２０】
吹出グリル２０には、上下方向に延び、かつ左右方向に離隔する複数の縦桟２２が設けられている。左右に隣接する縦桟２２の隙間（距離Ｌ５）は、吹出グリル２０から空気吹出口４９の内部に向かって指が入らない幅に設定されている。グリル取っ手部２３の内部空間Ｓの幅（距離Ｌ２）は、グリル取っ手部２３の周囲において隣接する縦桟２２の幅（距離Ｌ５）よりも大きいため、運搬者は容易に指を入れることができる。また、運搬者は、幅の違いによりグリル取っ手部２３を容易に確認することができる。
【０１２１】
（３−５）
グリル取っ手部２３の内部空間Ｓの奥行き（距離Ｌ３）は、平均２０ｍｍ以上である。
【０１２２】
グリル取っ手部２３の内部空間Ｓの奥行き（距離Ｌ３）は平均２０ｍｍ以上であるので、運搬者は少なくとも指の先端をグリル取っ手部２３に入れることができる。よって、運搬者は、グリル取っ手部２３の内部空間Ｓに指を入れて、室外ユニット１００の正面側を安定良く支持することができる。
【０１２３】
（３−６）
グリル取っ手部２３の内部空間Ｓの奥行き（距離Ｌ３）は、平均３０ｍｍ以上である。
【０１２４】
グリル取っ手部２３の内部空間Ｓの奥行きの距離（距離Ｌ３）は、３０ｍｍ以上であり、試験指２００の第２部の少なくとも一部が入る距離である。運搬者は、指の先端から第１関節を経て、第１関節から第２関節までの少なくとも一部を、グリル取っ手部２３の内部空間Ｓに入れることができる。よって、運搬者は、グリル取っ手部２３のより奥に指を入れて、室外ユニット１００の正面側を安定良く支持することができる。
【０１２５】
（３−７）
グリル取っ手部２３と、グリル取っ手部２３に近接する空気吹出口４９の端部との距離は、８０ｍｍ以上である。
【０１２６】
グリル取っ手部２３と空気吹出口４９の端部とが８０ｍｍ以上であり、試験指２００の長さ以上離れている。よって、運搬者がグリル取っ手部２３に指を入れても、運搬者の指が空気吹出口４９内に入らず、指が室外ファン４５に巻き込まれない。
【０１２７】
（３−８）
正面視における送風機室３３側の側板の上部に、運搬者の指が掛かる左側板取っ手部１３が形成されている。
【０１２８】
吹出グリル２０の送風機室３３側の端の上部にグリル取っ手部２３が形成されている。さらに、送風機室３３側の左側板１２の上部に左側板取っ手部１３が形成されている。つまり、室外ユニット１００において、送風機室３３側には、正面側にグリル取っ手部２３が形成され、左側板１２側に左側板取っ手部１３が形成されている。送風機室３３側の運搬者は、一方の手をグリル取っ手部２３に掛け、他方の手を左側板取っ手部１３に掛けることで、室外ユニット１００を安定良く支持することができる。
【０１２９】
（３−９）
グリル取っ手部２３と左側板取っ手部１３とは概ね同一の高さに位置している。
【０１３０】
グリル取っ手部２３と左側板取っ手部１３とが同程度の高さであるので、送風機室３３側の運搬者は、グリル取っ手部２３に掛けた一方の手と、左側板取っ手部１３に掛けた他方の手とを概ね同一の高さとすることができる。よって、室外ユニット１００を安定良く支持することができる。
【０１３１】
（３−１０）
第１延長面２４ａと、第２面２４ｂと、第３面２４ｃと、がコの字状に形成されている。第１延長面２４ａは、グリル取っ手部２３の内部空間Ｓの上面となる。第２面２４ｂは、第１延長面２４ａと連続して、内部空間Ｓから上方に延びる。第３面２４ｃは、第２面２４ｂと連続して第１延長面２４ａと対向する。
【０１３２】
グリル取っ手部２３の内部空間Ｓには、上面として第１延長面２４ａが設けられている。そして、グリル取っ手部２３の内部空間Ｓから連続するように、第１延長面２４ａ、第２面２４ｂ及び第３面２４ｃがコの字状に形成されている。運搬者がグリル取っ手部２３の内部空間Ｓに指を入れて室外ユニット１００を運搬する際には、室外ユニット１００の重量は、主にグリル取っ手部２３の上面である第１延長面２４ａに掛かる。第１延長面２４ａ、第２面２４ｂ及び第３面２４ｃが連続してコの字状に形成されているため、吹出グリル２０の強度が増し、室外ユニット１００の重量を十分に支えることができる。
【０１３３】
（３−１１）
第１延長面２４ａには、空気吹出口４９が形成されている前板に係止する係止部２４ｅが設けられている。
【０１３４】
グリル取っ手部２３の内部空間Ｓの上面となる第１延長面２４ａには、前板１１に係止する係止部２４ｅが設けられている。よって、グリル取っ手部２３の係止部２４ｅを介して、吹出グリル２０を前板１１に容易に位置決めでき、また安定良く固定することができる。
【０１３５】
（４）変形例
（４−１）変形例１Ａ
上記実施形態では、図５に示すように、グリル取っ手部２３の上下方向の距離Ｌ１は、隣接する横桟２１の上下方向の距離Ｌ４よりも大きい。ここで、上下方向に隣接する横桟２１は、手指が入らない程度の距離Ｌ４だけ離隔している。グリル取っ手部２３の距離Ｌ１が距離Ｌ４よりも大きいため、運搬者はグリル取っ手部２３の内部空間Ｓに指を入れることができる。
【０１３６】
その他、本発明のように内部空間Ｓに指をいれることが可能なグリル取っ手部２３としては、例えば以下のような変形例が挙げられる。ただし、以下の変形例は本発明を適用可能な例の一例であり、本発明の適用はこれらに限定されない。また、変形例では、多様な吹出グリル２０にグリル取っ手部２３を設けた構成を開示しており、その他の構成については本実施形態を適用可能である。
【０１３７】
図１４〜図１９を用いてグリル取っ手部２３の変形例について説明する。図１４〜図１９は、グリル取っ手部２３を有する吹出グリル２０の変形例の正面模式図である。
【０１３８】
（ａ）図１４のグリル取っ手部２３
図１４によると、吹出グリル２０の枠体は、概ね長方形状であり、左上、右上、右下及び左下に角部を有する。なお、枠体は吹出グリル２０の外周部であり、桟が形成されている部分を除く部分である。また、吹出グリル２０の枠体の内端は、それぞれ左上、右上、右下及び左下に角部を有する。
【０１３９】
吹出グリル２０の枠体内には、左右方向に延びる複数の横桟２１と、上下方向に延びる複数の縦桟２２とが設けられている。上下に隣接する横桟２１は、手指が入らない程度の距離Ｌ４だけ離隔している。左右に隣接する縦桟２２は、所定の距離Ｌ５だけ離隔して配置されている。また、上下方向に隣接する縦桟２２は、互いに離隔して配置されている。よって、縦桟２２は、各行ごとに互い違いに配置されている。
【０１４０】
図１４において、グリル取っ手部２３は、正面視において、吹出グリル２０の枠体の内側において送風機室３３側の端の上部に形成されている。つまり、グリル取っ手部２３は、正面視において、吹出グリル２０の桟２１、２２が形成された領域の左端の上部に形成されている。
【０１４１】
図１４において、グリル取っ手部２３の上下方向の距離Ｌ１は、隣接する横桟２１の上下方向の距離Ｌ４よりも大きい。ここで、上下方向に隣接する横桟２１は、手指が入らない程度の距離Ｌ４だけ離隔している。グリル取っ手部２３の距離Ｌ１が距離Ｌ４よりも大きいため、運搬者はグリル取っ手部２３の内部空間Ｓに指を入れることができる。グリル取っ手部２３の左右方向の距離Ｌ２は、例えば縦桟２２の左右方向の距離Ｌ５であり得る。ただし、距離Ｌ２は距離Ｌ５よりも小さくても大きくてもよい。なお、縦桟２２の左右方向の距離Ｌ５は、例えば距離Ｌ４よりも大きい。ただし、距離Ｌ５は距離Ｌ４以下であってもよい。その他、距離Ｌ１は、例えば運搬者の指が空気吹出口４９に入り込まない距離等を考慮して決定される。また、距離Ｌ２は、例えば運搬者の指が入る程度の距離、運搬者の指が空気吹出口４９に入り込まない距離等を考慮して決定される。
【０１４２】
（ｂ）図１５のグリル取っ手部２３
図１５によると、吹出グリル２０の枠体は、概ね長方形状であり、左上、右上、右下及び左下に角部を有する。なお、枠体は吹出グリル２０の外周部であり、桟が形成されている部分を除く部分である。また、吹出グリル２０の枠体の内端は、それぞれ左上、右上、右下及び左下に角部を有する。
【０１４３】
吹出グリル２０の枠体内には、左右方向に延びる複数の横桟２１と、上下方向に延びる複数の縦桟２２とが設けられている。上下に隣接する横桟２１は、所定の距離Ｌ４だけ離隔して配置されている。左右方向に接する縦桟２２は、手指が入らない程度の距離Ｌ５だけ離隔している。
【０１４４】
図１５において、グリル取っ手部２３は、正面視において、吹出グリル２０の枠体の内側において送風機室３３側の端の上部に形成されている。つまり、グリル取っ手部２３は、正面視において、吹出グリル２０の桟２１、２２が形成された領域の左端の上部に形成されている。
【０１４５】
図１５において、グリル取っ手部２３の左右方向の距離Ｌ２は、隣接する縦桟２２の左右方向の距離Ｌ５よりも大きい。ここで、左右方向に隣接する縦桟２２は、手指が入らない程度の距離Ｌ５だけ離隔している。グリル取っ手部２３の距離Ｌ２が距離Ｌ５よりも大きいため、運搬者はグリル取っ手部２３の内部空間Ｓに指を入れることができる。グリル取っ手部２３の上下方向の距離Ｌ１は、例えば横桟２１の上下方向の距離Ｌ４よりも小さい。ただし、距離Ｌ１は距離Ｌ４と同程度であってもよく、距離Ｌ４よりも大きくてもよい。なお、横桟２１の上下方向の距離Ｌ４は、例えば距離Ｌ５よりも大きい。ただし、距離Ｌ４は距離Ｌ５以下であってもよい。その他、距離Ｌ２は、例えば運搬者の指が空気吹出口４９に入り込まない距離等を考慮して決定される。また、距離Ｌ１は、例えば運搬者の指が入る程度の距離、運搬者の指が空気吹出口４９に入り込まない距離等を考慮して決定される。
【０１４６】
（ｃ）図１６のグリル取っ手部２３
図１６によると、吹出グリル２０の枠体は、概ね長方形状であり、左上、右上、右下及び左下に角部を有する。なお、枠体は吹出グリル２０の外周部であり、桟が形成されている部分を除く部分である。また、吹出グリル２０の枠体の内端は、それぞれ左上、右上、右下及び左下に角部を有する。
【０１４７】
吹出グリル２０の枠体内には、左右方向に延びる複数の横桟２１と、上下方向に延びる複数の縦桟２２とが設けられている。また、吹出グリル２０には、前板１１の空気吹出口４９に対応した吹出口対応領域４９ａが設けられており、複数の縦桟２２は吹出口対応領域４９ａのみに設けられている。上下に隣接する横桟２１は、手指が入らない程度の距離Ｌ４だけ離隔している。左右に隣接する縦桟２２は、所定の距離Ｌ５だけ離隔して配置されている。
【０１４８】
図１６において、グリル取っ手部２３は、正面視において、吹出グリル２０の枠体の内側において送風機室３３側の端の上部に形成されている。つまり、グリル取っ手部２３は、正面視において、吹出グリル２０の桟２１、２２が形成された領域の左端の上部に形成されている。
【０１４９】
図１６において、グリル取っ手部２３の上下方向の距離Ｌ１は、隣接する横桟２１の上下方向の距離Ｌ４よりも大きい。ここで、上下方向に隣接する横桟２１は、手指が入らない程度の距離Ｌ４だけ離隔している。グリル取っ手部２３の距離Ｌ１が距離Ｌ４よりも大きいため、運搬者はグリル取っ手部２３の内部空間Ｓに指を入れることができる。グリル取っ手部２３の左右方向の距離Ｌ２は、例えば縦桟２２の左右方向の距離Ｌ５であり得る。ただし、距離Ｌ２は距離Ｌ５よりも小さくても大きくてもよい。なお、縦桟２２の左右方向の距離Ｌ５は、例えば距離Ｌ４よりも大きい。ただし、距離Ｌ５は距離Ｌ４以下であってもよい。その他、距離Ｌ１は、例えば運搬者の指が空気吹出口４９に入り込まない距離等を考慮して決定される。また、距離Ｌ２は、例えば運搬者の指が入る程度の距離、運搬者の指が空気吹出口４９に入り込まない距離等を考慮して決定される。
【０１５０】
（ｄ）図１７のグリル取っ手部２３
図１７によると、吹出グリル２０の枠体は、概ね長方形状であり、左上、右上、右下及び左下に角部を有する。また、吹出グリル２０の枠体は、送風機室３３側の左上及び左下において円弧状の内端を有する。一方、吹出グリル２０の枠体の内端は、右上及び右下において角部を有する。なお、枠体は吹出グリル２０の外周部であり、桟が形成されている部分を除く部分である。
【０１５１】
吹出グリル２０の枠体内には、円弧状に延びる複数の円弧状桟５０と、直線状に延びる複数の直線状桟５１とが設けられている。複数の円弧状桟５０は、例えば、吹出グリル２０の概ね中心に対して、同心円状に配置されている。直線状桟５１は、吹出グリル２０の概ね中心から放射状に延びている。直線状桟５１は、例えば複数の円弧状桟５０を支持している。隣接する円弧状桟５０は、手指が入らないように半径方向において距離ＲＬ４だけ離隔している。複数の直線状桟５１は、複数の円弧状桟５０を互いに連結して支持できる程度に離隔して配置されている。
【０１５２】
図１７において、グリル取っ手部２３は、グリル取っ手部２３は、正面視において、吹出グリル２０の枠体の内側において送風機室３３側の端の上部に形成されている。つまり、グリル取っ手部２３は、正面視において、吹出グリル２０の円弧状桟５０及び直線状桟５１が形成された領域の左端の上部に形成されている。
【０１５３】
図１７において、グリル取っ手部２３の半径方向の距離ＲＬ１は、隣接する円弧状桟５０の半径方向の距離ＲＬ４よりも大きい。ここで、半径方向に隣接する円弧状桟５０は、手指が入らない程度の距離ＲＬ４だけ離隔している。グリル取っ手部２３の距離ＲＬ１が距離ＲＬ４よりも大きいため、運搬者はグリル取っ手部２３の内部空間Ｓに指を入れることができる。なお、グリル取っ手部２３の円周方向に沿った距離ＲＬ２は、例えば距離ＲＬ４よりも大きい。ただし、距離ＲＬ２は距離ＲＬ４以下であってもよい。その他、グリル取っ手部２３の距離ＲＬ１は、例えば運搬者の指が空気吹出口４９に入り込まない距離等を考慮して決定される。また、グリル取っ手部２３の距離ＲＬ２は、例えば運搬者の指が入る程度の距離、運搬者の指が空気吹出口４９に入り込まない距離等を考慮して決定される。
【０１５４】
なお、本変形例では、吹出グリル２０の枠体は、送風機室３３側において円弧状の内端を有する。しかし、吹出グリル２０の枠体は、機械室３１側において円弧状の内端を有してもよい。また、吹出グリル２０の枠体は、送風機室３３側及び機械室３１側の両方において円弧状の内端を有してもよい。複数の円弧状桟５０及び複数の直線状桟５１は、枠体の形状に合わせて設けられる。
【０１５５】
（ｅ）図１８のグリル取っ手部２３
図１８によると、吹出グリル２０の枠体は、概ね長方形状であり、左上、右上、右下及び左下に角部を有する。なお、枠体は吹出グリル２０の外周部であり、桟が形成されている部分を除く部分である。また、吹出グリル２０の枠体の内端は、それぞれ左上、右上、右下及び左下に角部を有する。
【０１５６】
吹出グリル２０の枠体内には、円弧状に延びる複数の円弧状桟５０と、直線状に延びる複数の直線状桟５１とが設けられている。複数の円弧状桟５０は、例えば、吹出グリル２０の概ね中心に対して、同心円状に配置されている。直線状桟５１は、吹出グリル２０の概ね中心から放射状に延びている。直線状桟５１は、例えば複数の円弧状桟５０を支持している。隣接する円弧状桟５０は、手指が入らないように半径方向において距離ＲＬ４だけ離隔している。複数の直線状桟５１は、複数の円弧状桟５０を互いに連結して支持できる程度に離隔して配置されている。
【０１５７】
図１８において、グリル取っ手部２３は、正面視において、吹出グリル２０の枠体の内側において送風機室３３側の端の上部に形成されている。つまり、グリル取っ手部２３は、正面視において、吹出グリル２０の円弧状桟５０及び直線状桟５１が形成された領域の左端の上部に形成されている。そして、図１８に示すように、グリル取っ手部２３が形成された吹出グリル２０の左端の上部においては、円弧状桟５０及び直線状桟５１は形成されていない。よって、吹出グリル２０の枠体の左上の角部からなる内端と、円弧状桟５０及び直線状桟５１が形成されている領域との間に、グリル取っ手部２３が形成される。図１８の例では、グリル取っ手部２３は、正面視において、概ね三角形状に形成されている。
【０１５８】
図１８において、グリル取っ手部２３の半径方向の距離ＲＬ１は、隣接する円弧状桟５０の半径方向の距離ＲＬ４よりも大きい。ここで、半径方向に隣接する円弧状桟５０は、手指が入らない程度の距離ＲＬ４だけ離隔している。グリル取っ手部２３の距離ＲＬ１が距離ＲＬ４よりも大きいため、運搬者はグリル取っ手部２３の内部空間Ｓに指を入れることができる。なお、グリル取っ手部２３の上下方向の距離Ｌ１及び左右方向の距離Ｌ２は、例えば運搬者の指が入る程度の距離、運搬者の指が空気吹出口４９に入り込まない距離等を考慮して決定される。
【０１５９】
（ｆ）図１９のグリル取っ手部２３
図１９の吹出グリル２０は、図１８の吹出グリル２０の複数の直線状桟５１の代わりに、複数の円弧状桟５３を有している。複数の円弧状桟５３は、例えば、吹出グリル２０の概ね中心から枠体の端部に向かって円弧状に延びている。その他の構成については図１８と同様であるので説明を省略する。
【０１６０】
（４−２）変形例１Ｂ
上記実施形態では、室外ユニット１００の左側に送風機室３３が設けられ、右側に機械室３１が設けられている。しかし、室外ユニット１００に右側に送風機室３３が設けられ、左側に機械室３１が設けられてもよい。この場合、グリル取っ手部２３は、正面視において、吹出グリル２０の送風機室３３側の端の上部に形成されている。つまり、グリル取っ手部２３は、正面視において、吹出グリル２０の右端の上部に形成されている。ここで、右側の送風機室３３に室外ファン４５が設けられている。また、室外熱交換器４３は、室外ユニット１００の後面から右側板１４に沿ってＬ字状に配置されている。そして、右側板１４には、上記実施形態の左側板１２と同様に、複数の開口が形成されている。また、右側板１４の右上方に右側板取っ手部が設けられている。室外ユニット１００の右側板１４側の運搬者は、右側板取っ手部と、正面視において右端の上部のグリル取っ手部と、手指により把持する。これにより、上記実施形態と同様に、運搬者は、グリル取っ手部２３に指を入れることで、室外ユニット１００が前側に傾かないように、室外ユニット１００を安定良く支持することができる。また、グリル取っ手部２３を室外ユニット１００の正面側から容易に確認できる。また、運搬者は起立状態のままで、姿勢を大きく変えることなく運搬作業を行うことができる。
【０１６１】
なお、吹出グリル２０の右端の上部とは、吹出グリル２０の右角だけではなく、右角の近傍を含むものとする。右角の近傍とは、例えば、吹出グリル２０のうち、室外ユニット１００の運搬者がグリル取っ手部に手指を入れた場合であっても、空気吹出口４９に手指が入らない領域である。つまり、吹出グリル２０のうち、グリル取っ手部と空気吹出口４９との距離が手指よりも大きい、右端の上部領域である。
【０１６２】
（４−３）変形例１Ｃ
上記実施形態では、室外ユニット１００の送風機室３３側の上部に１つのグリル取っ手部２３が設けられている。しかし、グリル取っ手部２３は一つに限られず複数設けられてもよい。例えば、グリル取っ手部２３に加えて、吹出グリル２０のうち、横桟２１及び縦桟２２が設けられている部分の右端の上部に、さらにグリル取っ手部が設けられてもよい。この場合、室外ユニット１００の送風機室３３側の運搬者は、左側板取っ手部１３と、グリル取っ手部２３とを手指で把持する。一方、室外ユニット１００の機械室３１側の運搬者は、右側板取っ手部１６と、追加されたグリル取っ手部とを手指で把持する。
【０１６３】
（４−４）変形例１Ｄ
上記実施形態では、運搬者がグリル取っ手部２３に指を入れる例を開示している。しかし、グリル取っ手部２３は、指だけでなく手も入るように構成されてもよい。
【０１６４】
（４−５）変形例１Ｅ
上記実施形態では、吹出グリル２０の横桟２１及び／又は縦桟２２が形成されている領域の一部を切り欠くようにグリル取っ手部２３が形成されている。しかし、吹出グリル２０の庇部２４（第１面２４ａ−１と、第２面２４ｂと、第３面２４ｃと、取り付け面２４ｄ）の一部を切り欠くようにしてグリル取っ手部２３０が形成されてもよい。以下に庇部２４を用いてグリル取っ手部２３０を構成した例を説明する。
【０１６５】
図２０は、変形例に係る室外ユニット１００の左上部近傍の正面図である。図２１は、図２０のグリル取っ手部２３０近傍の構成を拡大した左前方斜視図である。図２２は、図２０のグリル取っ手部２３０近傍を下方から見た下方斜視図である。図２３は、図２０のＩＩＩ−ＩＩＩ断面図である。
【０１６６】
本変形例では、図２０〜図２４に示すように、庇部２４の一部を用いてグリル取っ手部２３０を形成している。グリル取っ手部２３０では、庇部２４が第１面２４ａ−１及び第２面２４ｂを有していない。図２３を参照すると、グリル取っ手部２３０が形成されている部分では、庇部２４は第１面２４ａ−１及び第２面２４ｂを有しておらず、第３面２４ｃ及び取り付け面２４ｄのみが配置されている。一方、グリル取っ手部２３０が形成されていない部分では、図２３の破線に示すように、第１面２４ａ−１及び第２面２４ｂが維持されており、庇部２４は第１面２４ａ−１と、第２面２４ｂと、第３面２４ｃと、取り付け面２４ｄとから構成されている。
【０１６７】
グリル取っ手部２３０は、開口部２３０ａから奥側に広がる内部空間Ｓ１により形成されている。開口部２３０ａ左右端は、開口部２３０ａの左に隣接する庇部２４の第２面２４ｂの左端部２４ｂ−１と、開口部２３０ａの右に隣接する庇部２４の第２面２４ｂの右端部２４ｂ−２とにより定義される（図２２）。また、開口部２３０ａ左右端は、枠体２４〜２７と一体の左端から１番目の第１番目縦桟２２ａと、左端から２番目の第２番目縦桟２２ｂと、によっても定義され得る。また、開口部２３０ａ上端は、庇部２４の第３面２４ｃにより定義される。開口部２３０ａの下端は、上から１番目の第２番目横桟２１ｂにより定義される。グリル取っ手部２３０の内部空間Ｓ１は、このような開口部２３０ａに沿って後方に広がる空間であり、空間ＳＧの一部である。なお、空間ＳＧは、吹出グリル２０と前板１１とが離隔して形成される空間である。
【０１６８】
グリル取っ手部２３０の形成位置は、上記実施形態のグリル取っ手部２３と同様であるので詳細な説明は省略するが、正面視において、吹出グリル２０の送風機室３３側の端の上部に形成されている。
【０１６９】
グリル取っ手部２３０の内部空間Ｓ１の形状は、上記実施形態及び変形例のグリル取っ手部２３の内部空間Ｓと同様であるので詳細な説明は省略する。例えば、一例であるが、グリル取っ手部２３０の内部空間Ｓ１は、正面視において、概ね長方形状に形成されている。ただし、内部空間Ｓ１の形状はこれに限定されず多様な形状であり得る。また、グリル取っ手部２３０の内部空間Ｓ１は、運搬者の指が入る大きさに形成されており、グリル取っ手部２３０の上下方向の距離Ｌ１、左右方向の距離Ｌ２及び奥行きの距離Ｌ３の定義についても、上記実施形態及び変形例のグリル取っ手部２３と同様である。よって、上記と同様に、距離Ｌ１〜Ｌ３は適宜所望の大きさに設定可能である。
【符号の説明】
【０１７０】
１０          ケーシング
１１          前板
１２          左側板
１３          左側板取っ手部
１４          右側板
１６          右側板取っ手部
２０          吹出グリル
２１          横桟
２２          縦桟
２３          グリル取っ手部
２３ａ        開口部
２４          庇部
２４ａ        第１延長面（取っ手面）
２４ａ−１    第１面
２４ｂ        第２面
２４ｃ        第３面
２４ｄ        取り付け面
２４ｅ        係止部
３１          機械室
３３          送風機室
４１          圧縮機
４５          室外ファン（プロペラファン）
４９          空気吹出口
５０、５３    円弧状桟
５１          直線状桟
１００        室外ユニット
２００        試験指
２３０        グリル取っ手部
Ｓ            内部空間
Ｓ１          内部空間
【先行技術文献】
【特許文献】
【０１７１】
【特許文献１】特開２０１３−１３９９２６号公報
【特許文献２】特開平７−３０１４３４号公報
【図１】
2017009266.tif 000003
【図２】
2017009266.tif 000004
【図３】
2017009266.tif 000005
【図４】
2017009266.tif 000006
【図５】
2017009266.tif 000007
【図６】
2017009266.tif 000008
【図７】
2017009266.tif 000009
【図８】
2017009266.tif 000010
【図９】
2017009266.tif 000011
【図１０】
2017009266.tif 000012
【図１１】
2017009266.tif 000013
【図１２】
2017009266.tif 000014
【図１３】
2017009266.tif 000015
【図１４】
2017009266.tif 000016
【図１５】
2017009266.tif 000017
【図１６】
2017009266.tif 000018
【図１７】
2017009266.tif 000019
【図１８】
2017009266.tif 000020
【図１９】
2017009266.tif 000021
【図２０】
2017009266.tif 000022
【図２１】
2017009266.tif 000023
【図２２】
2017009266.tif 000024
【図２３】
2017009266.tif 000025